(57)【要約】【課題】従来の電気掃除機において、棚の清掃時には、ホースを引き回しながらブラシアタッチメントを操作する必要があり、細かな動作が難しい。更に使用者の目線程の高さにある棚を清掃するときにはホースの長さが足りず、掃除機本体を持ち上げる必要があるという課題を有する。【解決手段】着脱可能な補助集塵具４１を接続管３１上に収容し、補助集塵具４１の塵埃付着部４４を接続管と連通した開口部へ挿入可能としたものである。これによって接続管３１より着脱可能な補助集塵具４１を有し、さらにこの補助集塵具４１に付着した塵埃を自動的に除去することで、補助集塵具４１で細かな操作が行え隅々まで清掃でき、またホース３２では届かない棚等も清掃可能である操作性を向上した電気掃除機を実現するものである。【選択図】  図１
2004283322.tif 000002
【特許請求の範囲】
【請求項１】
掃除機本体と、床用吸込具に連結した接続管と、着脱可能な補助集塵具と、前記接続管上に前記補助集塵具を収容できる収容部と、前記補助集塵具の塵埃付着部が挿入可能で、かつ前記接続管と連通した開口部を備えた電気掃除機。
【請求項２】
補助集塵具内に二次電池を内蔵し、塵埃付着部に電荷を発生させる電荷発生部を有し、接続管上の収容部に前記二次電池への充電を行う充電部を設けた請求項１記載の電気掃除機。
【請求項３】
補助集塵具と接続管との間に給電線を設け、塵埃付着部に電荷を発生させる電荷発生部を有する請求項１記載の電気掃除機。
【請求項４】
補助集塵具と収容部との着脱状態を検知する検知部を設け、この着脱状態の検知結果によって掃除機本体に内蔵する電動送風機の回転数を変化させる制御回路を設けた請求項１から３のいずれか１項に記載の電気掃除機。
【請求項５】
補助集塵具を収容部へ収容したときに、一定時間だけ塵埃付着部の除電を行う除電部を設けた請求項１から４のいずれか１項に記載の電気掃除機。
【請求項６】
補助集塵具を収容部へ収容したときに、一定時間だけ塵埃付着部に振動を与える加振部を設けた請求項１から４のいずれか１項に記載の電気掃除機。
【請求項７】
床面掃除用の主ハンドル体が、補助集塵具のハンドル体を兼用する構成とした請求項１から６のいずれか１項に記載の電気掃除機。
【請求項８】
掃除機本体に接続された主可撓性ホースに比べて細い補助可撓性ホースを補助集塵具と接続管との間に設け、かつこの補助可撓性ホースと連通した補助吸込口を塵埃付着部に有する請求項１から７のいずれか１項に記載の電気掃除機。
【請求項９】
補助集塵具の塵埃付着部側に着脱可能な塵埃付着紙を装着しており、かつ接続管へ収容時において任意にこの塵埃付着紙を塵埃付着面から取り除き掃除機本体に内蔵する集塵室へと格納する構成とした請求項１から８のいずれか１項に記載の電気掃除機。
【発明の詳細な説明】
【０００１】
【発明の属する技術分野】
本発明は、一般家庭等で使用される電気掃除機に関するものである。
【０００２】
【従来の技術】
従来の電気掃除機は、棚の上などの床用吸込具以外での清掃時に、床用吸込具を含めた接続管を取り外して、棚清掃用のブラシアタッチメント等を装着している（例えば、特許文献１参照）。
【０００３】
【特許文献１】
特開２０００−７９０８２号公報
【０００４】
【発明が解決しようとする課題】
しかしながら、前記従来の構成では、棚等の細かい箇所の清掃時に可撓性ホースを引き回しながらブラシアタッチメント等を操作する必要があり細かな動作が難しい。さらに使用者の目線程の高さにある棚を清掃するときには可撓性ホースの長さが足りず、掃除機本体を持ち上げならブラシアタッチメント等を操作する必要があるという課題を有していた。さらに取り外した接続管は、通常床面等に放置するため再び床面清掃を行うときにはこの接続管を拾い上げなければならない。
【０００５】
また一般的な縦型掃除機では、可撓性ホースを掃除機本体から引き出し、同じく掃除機本体に取り付けられたブラシアタッチメント等を取り出して可撓性ホース先端に取り付けて使用しなければならないという課題を有していた。
【０００６】
本発明は前記従来の技術を解決するもので、接続管より着脱可能な補助集塵具を有し、さらにこの補助集塵具に付着した塵埃を自動的に除去することで、補助集塵具で細かな操作が行え隅々まで清掃でき、また可撓性ホースでは届かない棚等も清掃可能である操作性を向上した電気掃除機を提供することを目的とする。
【０００７】
【課題を解決するための手段】
前記従来の課題を解決するために、本発明の電気掃除機は、掃除機本体と、床用吸込具に連結した接続管と、着脱可能な補助集塵具と、接続管上に補助集塵具を収容できる収容部と、補助集塵具の塵埃付着部が挿入可能で、かつ接続管と連通した開口部を備えたものである。これによって接続管より着脱可能な補助集塵具を有し、さらにこの補助集塵具に付着した塵埃を自動的に除去することで、補助集塵具で細かな操作が行え隅々まで清掃でき、また可撓性ホースでは届かない棚等も清掃可能である操作性を向上した電気掃除機とするものである。
【０００８】
【発明の実施の形態】
請求項１に記載した発明は、掃除機本体と、床用吸込具に連結した接続管と、着脱可能な補助集塵具と、接続管上に補助集塵具を収容できる収容部と、補助集塵具の塵埃付着部が挿入可能で、かつ接続管と連通した開口部を備えたものである。これによって接続管より着脱可能な補助集塵具を有し、さらにこの補助集塵具に付着した塵埃を自動的に除去することで、補助集塵具で細かな操作が行え隅々まで清掃でき、また可撓性ホースでは届かない棚等も清掃可能である操作性を向上した電気掃除機を実現するものである。
【０００９】
請求項２に記載した発明は、請求項１に記載した構成に加え、補助集塵具内に二次電池を内蔵し、塵埃付着部に電荷を発生させる電荷発生部を有し、接続管上の収容部にこの二次電池への充電を行う充電部を設けたので、より多くの塵埃を補助集塵具に付着させ、容易に棚等の清掃を行うことができる。
【００１０】
請求項３に記載した発明は、請求項１に記載した構成に加え、補助集塵具と接続管との間に給電線を設け、塵埃付着部に電荷を発生させる電荷発生部を有する構成としたので、連続的に長時間、補助集塵具を操作可能で容易に棚等の清掃を行うことができる。
【００１１】
請求項４に記載した発明は、請求項１から３のいずれか１項に記載した構成に加え、補助集塵具と収容部との着脱状態を検知する検知部を設け、この着脱状態の検知結果によって掃除機本体に内蔵する電動送風機の回転数を変化させる制御回路を設けた構成としたので、補助集塵具を取り外しているときには電動送風機を停止させ、また補助集塵具を収容した瞬間には電動送風機の回転を高めて塵埃付着面に付着した塵埃を高速に除去することができる。
【００１２】
請求項５記載した発明は、請求項１から４のいずれか１項に記載した構成に加え、補助集塵具を収容部へ収容したときに、一定時間だけ塵埃付着部の除電を行う除電部を設けたので、短時間で確実に塵埃付着面に付着した塵埃を除去することができる。
【００１３】
請求項６記載した発明は、請求項１から４のいずれか１項に記載した構成に加え、補助集塵具を収容部へ収容したときに、一定時間だけ塵埃付着部に振動を与える加振部を設けたので、短時間で確実に塵埃付着面に付着した塵埃を除去することができる。
【００１４】
請求項７記載した発明は、請求項１から６のいずれか１項に記載した構成に加え、床面掃除用の主ハンドル体が、補助集塵具のハンドル体を兼用する構成としたので、使用者は補助集塵具を使用するためにハンドル体を持ち変える必要が無く、さらに補助集塵具のために別途ハンドル体を必要としないので小型かつ軽量な電気掃除機を実現するものである。
【００１５】
請求項８記載した発明は、請求項１から７のいずれか１項に記載した構成に加え、掃除機本体に接続された主可撓性ホースに比べて細い補助可撓性ホースを補助集塵具と接続管との間に設け、かつこの補助可撓性ホースと連通した補助吸込口を塵埃付着部に有する構成としたので、塵埃付着部への塵埃の付着能力が向上し、掻き揚げ力や静電気の力だけでは付着させることができない大きさのごみをも付着させることができる。
【００１６】
請求項９記載した発明は、請求項１から８のいずれか１項に記載した構成に加え、補助集塵具の塵埃付着部側に着脱可能な塵埃付着紙を装着しており、かつ接続管へ収容時において任意にこの塵埃付着紙を塵埃付着部から取り除き掃除機本体に内蔵する集塵室へと格納する構成としたので、塵埃付着部に固着した塵埃を手動で取り除く必要が無い、使い勝手の向上した電気掃除機を実現するものである。
【００１７】
【実施例】
以下、本発明の実施例について図面を参照しながら説明する。
【００１８】
（実施例１）
図１（ａ）は、本発明の第１の実施例である電気掃除機における補助集塵具の収容時の状態を示す側断面図であり、図１（ｂ）は同、補助集塵具使用時の状態を示す側断面図である。図２は、同、電気掃除機の一部欠載断面図である。本実施例において、２１は電気掃除機の本体（以下単に本体という）、２２は本体２１内に内蔵された電動送風機である。２３は電動送風機２２の吸気口側に設けた集塵室であり、集塵室２３はごみ袋式、フィルタ式、遠心分離式、慣性集塵式等のいずれであっても構わない。
【００１９】
また２４は電動送風機の回転を制御する制御回路である。２５は床ノズル（床用吸込具）であり、下方が開口している。床ノズル２５内部には床ノズルモータ（図示せず）によって回転する回転ブラシ（図示せず）を配している。
【００２０】
３１、３２はそれぞれ床ノズル２５と本体２１との間に設けられた接続管及びホース（主可撓性ホース）である。接続管３１のホース３２側には主ハンドル体３３を設けており、さらに主ハンドル体３３上には操作スイッチ３４を有している。４１は接続管３１上に収容された補助集塵具である棚ブラシである。棚ブラシ４１は、床面清掃時においては接続管３１に備えた収容部４２の開口部４３に、面状に形成された塵埃付着部４４が接続管３１の内部を向くように取付けられている。４５は塵埃付着部４４に設けた毛ブラシで、棚ブラシ４１内部には電荷発生部４６と二次電池４７、そして二次電池４７を充電するための受電部４８を設けている。また４９は着脱状態を検知する検知部を兼ねた給電部である。５０は毛ブラシ４５及び塵埃付着部４４の電荷を取り除く除電部であり、毛ブラシ４５及び塵埃付着部４４を囲むように配している。５１は棚ブラシ４１に設けた補助ハンドル体で伸縮が可能である。５２は棚ブラシ４１を収容部４２から取り外したときに開口部４３を塞ぐシャッターである。
【００２１】
以下、本実施例の動作について説明する。図１（ａ）に示す状態では主ハンドル体３３を持ち床ノズル２５を清掃面に置き、操作スイッチ３４で電源を入れると、制御回路２４からの指令で電動送風機２２が動作し吸引力が発生する。続いて回転ブラシが床ノズル２５内の床ノズルモータによって回転し清掃面の塵埃を掻き揚げる。発生した吸引力によって周囲の空気が吸込まれ、清掃面の塵埃が床ノズル２５内へと吸込まれる。吸込まれた塵埃は接続管３１とホース３２を通過し、集塵室２３へと搬送されここで集塵される。このとき棚ブラシ４１は補助ハンドル体を縮めた状態で、接続管３１上の収容部４２に収容されている。
【００２２】
次に図１（ｂ）にしめすように、棚等の床面以外の清掃を行う際には補助ハンドル体５１と伸ばしてから持ち、そして収容部４２から棚ブラシ４１を取り外す。このとき、ばね等の力によってシャッター５２が閉まり、開口部４３が閉まる。同時に受電部４８と給電部４９が離れることで、棚ブラシ４１が取り外されたことを検知し、制御回路２４の指令で電動送風機の回転を止める。棚ブラシ４１は二次電池４７の電力を使い、電荷発生部４６によって毛ブラシ４５と塵埃付着部４４にあらかじめ設定してある電荷を持たせる。ここで棚ブラシ４１にて棚等を清掃すると、棚上の塵埃が毛ブラシ４５や塵埃付着部４４に付着する。
【００２３】
棚清掃が終了すると再び図１（ａ）に示すように、収容部４２に棚ブラシ４１を収容する。ここで操作スイッチ３４を操作し、電動送風機２２によって気流を発生させると、毛ブラシ４５や塵埃付着部４４に付着していた塵埃が引き剥がされ集塵部２３へと吸込まれていく（矢印Ａ）。さらに除電部５０を用いて毛ブラシ４５と塵埃付着部４４、付着した塵埃の電荷を取り除くので速やかに塵埃を取り除くことが可能で、また塵埃の再付着を防止できる。このとき給電部４９と受電部４８が接触し、二次電池４７の充電が行われる。
【００２４】
このようにして本実施例の電気掃除機を使用することによって、接続管３１より着脱可能な棚ブラシ４１を有し、さらにこの棚ブラシ４１に付着した塵埃を自動的に除去することで、棚ブラシ４１で細かな操作が行え隅々まで清掃でき、またホース３２では届かない棚等も清掃可能である操作性を向上した電気掃除機を実現するものである。
【００２５】
また棚ブラシ４１内に二次電池４７を内蔵し、塵埃付着部４４に電荷を発生させる電荷発生部４６を有し、接続管３１上の収容部４２にこの二次電池４７への充電を行う給電部４９を設けたので、より多くの塵埃を棚ブラシ４１に付着させ、容易に棚等の清掃を行うことができる。
【００２６】
また棚ブラシ４１と収容部４２との着脱状態を給電部４９と受電部４８を用いて検知し、この着脱状態の検知結果によって本体２１に内蔵する電動送風機２２の回転数を変化させる制御回路２４を設けた構成としたので、棚ブラシ４１を取り外しているときには電動送風機２２を停止させ、また棚ブラシ４１を収容した瞬間には電動送風機２２の回転を高めて毛ブラシ４５と塵埃付着部４４に付着した塵埃を高速に除去することもできる。
【００２７】
また棚ブラシ４１を収容部４２へ収容したときに、一定時間だけ毛ブラシ４５と塵埃付着部４４の除電を行う除電部５０を設けたので、短時間で確実に毛ブラシ４５と塵埃付着部４４に付着した塵埃を除去することができる。
【００２８】
（実施例２）
図３は、本発明の第２の実施例である電気掃除機の補助集塵具使用時の状態を示す側断面図である。なお棚ブラシ４１以外の構成は実施例１と同様であるので、その詳細な説明を省略するものである。本実施例の棚ブラシ４１には、二次電池の代わりに棚ブラシ４１と接続管３１もしくは主ハンドル体３３との間に給電線６１を設け、電荷発生部４６によって毛ブラシ４５と塵埃付着部４４に電荷を発生させるので、連続的に長時間、棚ノズル４１を操作可能で容易に棚等の清掃を行うことができる。また通常は棚ブラシ４１を持つ手とは逆の手で主ハンドル体３３を保持しているので、誤って棚ブラシ４１を落としても給電線６１を伝って容易に拾い上げることができ、清掃を続けることができるものである。
【００２９】
（実施例３）
図４は、本発明の第３の実施例である電気掃除機における補助集塵具の収容時の状態を示す側断面図である。なお棚ブラシ４１以外の構成は実施例１と同様であるので、その詳細な説明を省略するものである。本実施例の棚ブラシ４１には、除電部の代わりに収容部４２近傍に加振部６８を設けており、棚ノズル４１を収容部４２へ収容したときに、一定時間だけ加振部６８で発生した振動が振動伝達体６７を通して開口部４３に設けた振動枠６６に伝わり、毛ブラシ４５と塵埃付着部４４に振動を与えるので、短時間で確実に塵埃付着面に付着した塵埃を除去することができる
（実施例４）
図５（ａ）は、本発明の第４の実施例である電気掃除機における補助集塵具の収容時の状態を示す側断面図であり、図５（ｂ）は、同、補助集塵具使用時の状態を示す側断面図である。なお棚ブラシ４１以外の構成は実施例１と同様であるので、その詳細な説明を省略するものである。本実施例の棚ブラシ４１では、補助ハンドル体を床面掃除用の主ハンドル体３３が兼用する構成としたので、使用者は棚ブラシ４１を使用するためにハンドル体を持ち変える必要が無く、さらに棚ブラシ４１のために別途ハンドル体を必要としないので小型かつ軽量な電気掃除機を実現するものである。
【００３０】
（実施例５）
図６（ａ）は、本発明の第５の実施例である電気掃除機における補助集塵具の収容時の状態を示す側断面図であり、図５（ｂ）は、同、補助集塵具使用時の状態を示す側断面図である。なお棚ブラシ４１以外の構成は実施例１と同様であるので、その詳細な説明を省略するものである。本実施例の棚ブラシ４１では、本体２１に接続されたホース（主可撓性ホース）３２に比べて細い補助可撓性ホース７１を棚ブラシ４１と接続管３１または主ハンドル体３３との間に設け、かつこの補助可撓性ホース７１と連通した複数の補助吸込口７２を塵埃付着部４４に有している。さらに棚ブラシ４１使用時に閉鎖する接続管閉鎖壁７３を設けており、棚ブラシ４１から補助可撓性ホース７１へと通じる流れ（矢印Ｂ）を発生させている。これにより塵埃付着部４４への塵埃の付着能力が向上し、掻き揚げ力や静電気の力だけでは付着させることができない大きさのごみをも付着させることができる。
【００３１】
（実施例６）
図７（ａ）は、本発明の第６の実施例である電気掃除機における補助集塵具の使用時の状態を示す側断面図であり、図５（ｂ）は、同、補助集塵具収容時の状態を示す側断面図である。なお棚ブラシ４１以外の構成は実施例１と同様であるので、その詳細な説明を省略するものである。本実施例の棚ブラシ４１では、塵埃付着部４４側に係止部７６によって着脱可能な塵埃付着紙７７を装着しており、かつ接続管３１へ収容時において任意にこの塵埃付着紙７７を塵埃付着部４４から取り除き（矢印Ｃ）本体２１に内蔵する集塵室２３へと格納する構成としたので、塵埃付着部４４に固着した塵埃を手動で取り除く必要が無い、使い勝手の向上した電気掃除機を実現するものである。
【００３２】
【発明の効果】
以上のように、請求項１から９に記載の発明によれば、接続管より着脱可能な補助集塵具を有し、さらにこの補助集塵具に付着した塵埃を自動的に除去することで、補助集塵具で細かな操作が行え隅々まで清掃でき、また可撓性ホースでは届かない棚等も清掃可能である操作性を向上した電気掃除機を実現するものである。
【図面の簡単な説明】
【図１】（ａ）本発明の実施例１の電気掃除機における補助集塵具の収容時の状態を示す側断面図
（ｂ）同、補助集塵具の使用時の状態を示す側断面図
【図２】同、電気掃除機の一部欠載断面図
【図３】本発明の実施例２の電気掃除機における補助集塵具の使用時の状態を示す側断面図
【図４】本発明の実施例３の電気掃除機における補助集塵具の収容時の状態を示す側断面図
【図５】（ａ）本発明の実施例４の電気掃除機における補助集塵具の収容時の状態を示す側断面図
（ｂ）同、補助集塵具の使用時の状態を示す側断面図
【図６】（ａ）本発明の実施例５の電気掃除機における補助集塵具の使用時の状態を示す側断面図
（ｂ）同、補助集塵具の収容時の状態を示す側断面図
【図７】（ａ）本発明の実施例６の電気掃除機における補助集塵具の使用時の状態を示す側断面図
（ｂ）同、補助集塵具の収容時の状態を示す側断面図
【符号の説明】
２１  本体（電気掃除機の本体）
２２  電動送風機
２３  集塵室
２４  制御回路
２５  床ノズル（床用吸込具）
３１  接続管
３２  ホース（主可撓性ホース）
３３  主ハンドル体
４１  棚ブラシ（補助集塵具）
４２  収容部
４３  開口部
４４  塵埃付着部
４６  電荷発生部
４７  二次電池
４９  給電部（充電部兼検知部）
５０  除電部
５１  補助ハンドル体
６１  給電線
６６  加振部
７１  補助可撓性ホース
７２  補助吸込口
７７  塵埃付着紙
【図１】
2004283322.tif 000003
【図２】
2004283322.tif 000004
【図３】
2004283322.tif 000005
【図４】
2004283322.tif 000006
【図５】
2004283322.tif 000007
【図６】
2004283322.tif 000008
【図７】
2004283322.tif 000009